(57)【要約】【課題】高密度実装用として対応が可能で、しかも、光ファイバに束の重みで不自然な屈曲が起きない配線を可能とする。【解決手段】光ファイバ１３のファイバ端末部１５を収めるファイバ端末収納部１７が内部に形成され縦置きの状態で使用されるボックス本体３と、前記ファイバ端末収納部１７内に収められたファイバ端末部１５と連続する光ファイバ１３が前記縦置きの状態にあるボックス本体３の正面から外へ延長されるファイバ誘導口２９と、前記縦置きの状態で使用されるボックス本体３を光ファイバ配線架４１の棚部４３等に係脱自在に引掛けて水平な作業姿勢に仮支持するためのボックス本体支持部材１１とを備えた構造とし、前記ファイバ誘導口９を、誘導口軸心線Ｘが下降傾斜する下向きに形成し、ファイバ誘導口９から外れた位置で、束の重みにより光ファイバ１３に無理に負荷が働かないようにする。【選択図】図１
2007101832.tif 000002
【特許請求の範囲】
【請求項１】
光ファイバのファイバ端末部を収める端末収納部が内部に形成され縦置きの状態で使用されるボックス本体と、前記ファイバ端末収納部内に収められたファイバ端末部と連続する光ファイバが前記縦置きの状態にあるボックス本体の正面から外へ延長されるファイバ誘導口と、前記縦置きの状態で使用されるボックス本体を光ファイバ配線架の棚部等に係脱自在に引掛けて水平な作業姿勢に仮支持するためのボックス本体支持部材とを備え、前記ファイバ誘導口は、誘導口軸心線が下降傾斜する下向きに形成されていることを特徴とする光ファイバ保留ボックス。
【請求項２】
前記ボックス本体は、ファイバ端末収納部及びファイバ誘導口を同時に開又は閉とする開閉可能な蓋部を備えていることを特徴とする請求項１記載の光ファイバ保留ボックス。
【請求項３】
前記ボックス本体の正面には、ボックス本体出し入れ用の取手部を備えていることを特徴とする請求項１記載の光ファイバ保留ボックス。
【請求項４】
前記ファイバ誘導口は、ファイバ端末部へ続く光ファイバの一部分を押さえてその動きを拘束するファイバ押え部材を備えていることを特徴とする請求項１記載の光ファイバ保留ボックス。
【請求項５】
請求項１に記載した光ファイバ保留ボックスのボックス本体を、縦置きの状態で並列に多数配置したことを特徴とする光ファイバ配線架。
【発明の詳細な説明】
【技術分野】
【０００１】
本発明は、光ファイバ配線架の内部において、使われていない待機状態におかれた光ファイバのファイバ端末部を収納しておく光ファイバ保留ボックスとその光ファイバ配線架に関する。
【背景技術】
【０００２】
一般に、例えば、中継基地となる通信センタ内には光ファイバ同志が接続される光ファイバ配線架が配置され、その光ファイバ配線架の内部において、使用されない待機状態におかれた光ファイバのファイバ端末部は、例えば、保留端子盤に仮留めされる。
【０００３】
保留端子盤は、縦、横に整列したコネクタ保持孔を有し、このコネクタ保持孔内に、使用されない待機状態におかれた光ファイバのファイバ端末部が光コネクタを介して仮留めされるようになっている。
【特許文献１】特許第３５３２４５４号公報
【発明の開示】
【発明が解決しようとする課題】
【０００４】
光コネクタを介してファイバ端末部を仮支持する保留端子盤は、縦、横に整列したコネクタ保持孔を有するため、線番（光コネクタ番号）の管理は容易となる反面、縦・横に長い板状の広い面積に作られている点。また、保留端子盤を回動させる作業面を必要とする点等から、大きな占有スペースを必要とする。このため、設置場所が限定されたり、制約を受ける等設置場所、設置スペース、形状等の各条件によって光ケーブルが多数集まる高密度実装の場合には対応できない不具合をかかえる。
【０００５】
そこで、本発明にあっては高密度実装用として対応が可能で、しかも、束の重み等で光ファイバに不自然な屈曲が起きない配線を可能とした光ファイバ保留ボックスとその光ファイバ配線架を提供することを目的としている。
【課題を解決するための手段】
【０００６】
前記目的を達成するために、本発明の光ファイバ保留ボックスにあっては、光ファイバのファイバ端末部を収める端末収納部が内部に形成され縦置きの状態で使用されるボックス本体と、前記ファイバ端末収納部内に収められたファイバ端末部と連続する光ファイバが前記縦置きの状態にあるボックス本体の正面から外へ延長されるファイバ誘導口と、前記縦置きの状態で使用されるボックス本体を光ファイバ配線架の棚部等に係脱自在に引掛けて水平な作業姿勢に仮支持するためのボックス本体支持部材とを備え、前記ファイバ誘導口は、誘導口軸心線が下降する下向きに形成されていることを特徴とする。
【０００７】
また、本発明の光ファイバ配線架にあっては、請求項１に記載した光ファイバ保留ボックス本体を縦置きの状態で並列に多数配置したことを特徴とする。
【発明の効果】
【０００８】
本発明にかかる光ファイバ保留ボックスによれば、使用されない待機状態におかれた各ファイバ端末部を束にした状態でファイバ端末収納部内に収めることができる。
【０００９】
また、ファイバ端末部が収められたボックス本体は縦置きとして使用できるため、占有スペースが小さく済むようになり設置場所に制約を受けることがなくなる。
【００１０】
また、光ファイバを束の状態で収納することができるため、多数のファイバ端末部の保留が可能となり高密度実装用として対応することができる。
【００１１】
また、束になった光ファイバはファイバ誘導口から下向きに下降傾斜する状態で外へ向かう配線となるため、誘導口から外れた部位に無理がかからず束になった重みで光ファイバの一部分が不自然に折れ曲がるのを防ぐことができる。
【００１２】
また、ボックス本体支持部材によってボックス本体を水平な作業姿勢にできるため、束になった中から目的の線番を捜し出す選択作業を容易に行うことができる。
【００１３】
次に、本発明にかかる光ファイバ配線架によれば、ボックス本体を縦置きの並列の状態で多数配置することが可能となるため、光ファイバを大量に収納することができる。したがって、高密度実装用の光ファイバ配線架として使用できる。
【００１４】
また、縦置きによってボックス本体の出し入れが容易になると共に目的別、ブロック別の整列配置が可能となる。
【発明を実施するための最良の形態】
【００１５】
第１には、前記ボックス本体に、ファイバ端末収納部及びファイバ誘導口を同時に開又は閉とする開閉可能な蓋部を備えることでファイバ端末収納部の収納作業又は束の中から線番を捜し出す選択作業が容易に行えるようにする。
【００１６】
第２には、前記ボックス本体の正面に、ボックス本体出し入れ用の取手部を備え、その取手部を利用することで、ボックス本体の出し入れが容易に行えるようにする。
【００１７】
第３には、前記ファイバ誘導口に、ファイバ端末部へ続く光ファイバの一部分を押さえてその動きを拘束するファイバ押え部材を備えるようにすることで、光ファイバの束が極端に少なくなった時でも、その光ファイバの動きを確実に拘束する。
【実施例】
【００１８】
以下、図１乃至図７の図面を参照しながら本発明の実施形態について具体的に説明する。
【００１９】
図１は本発明にかかる光ファイバ保留ボックスの蓋部を開いた状態の概要斜視図、図２は蓋部を閉じた状態の概要斜視図をそれぞれ示している。光ファイバ保留ボックス１のボックス本体３は、合成樹脂の材質で作られていて正面５ａ，背面５ｂ，上面５ｃ，底面５ｄ，両側面５ｅとにより所定の厚みを備えた両側面の広いボックス状に形成されている。
【００２０】
ボックス本体３は、底面５ｄを設置面として縦置きの状態で使用されるもので、正面５ａには取手部７とファイバ誘導口９が、上面５ｃと底面５ｄにはボックス本体支持部材１１（図面上一方は図示されていない）がそれぞれ設けられている。
【００２１】
ボックス本体３の内部は図４に示す如く、光ファイバ１３のファイバ端末部１５を収納するファイバ端末収納部１７となっていて、前記した正面５ａのファイバ誘導口９へ続く形状となっている。
【００２２】
なお、光ファイバ１３のファイバ端末部１５は、接続用の光コネクタ１６を備えたＭＵコネクタタイプとなっているが、他のコネクタであってもよい。
【００２３】
一方、ボックス本体３の両側面５ｅの内、一方（図１、左側）は蓋部１９となっていて薄肉のヒンジ２１を支点として開閉可能となっている。
【００２４】
したがって、蓋部１９を開いた時、ファイバ端末収納部１７及びファイバ誘導口９が同時に開放されるようになる。
【００２５】
蓋部１９は、両サイドにガイドピン２３を、自由端側に断面Ｖ字状に形成された一体に連続する係合フック部２５とをそれぞれ有する。したがって、蓋部１９を閉めた時、ガイドピン２３はボックス本体３側に設けられたガイド孔２７と、係合フック部２５はボックス本体３側に設けられた係合ロック孔２７とそれぞれ嵌合し合い、ロック爪がロック部（いずれも図示していない）と係合し合うことで、蓋部１９のロック状態が得られるようになっている。
【００２６】
Ｖ字状に形成された係合フック部２５は、自由端側が操作部２５ａとなっていて、その操作部２５ａを解除方向（図２矢印）へ操作することで、ロック爪とロック部との係合が外れ係合ロック孔２７に対するロック状態の解除が可能となる。
【００２７】
ファイバ誘導口９は、底面５ｄを設置面として縦置きの状態とした時、誘導口軸線Ｘが下降傾斜する下向きの形状となっている。ファイバ誘導口９は前記蓋部１９によって閉塞される一方、さらに光ファイバ１３を押さえるファイバ押え部材２９が設けられている。
【００２８】
ファイバ押え部材２９は図３に示すようにファイバ誘導口９を横切るよう配置された帯板状の形状となっている。ファイバ押え部材２９の一端は、回動ヒンジとなる薄肉ヒンジ３１を有し、前記ファイバ誘導口９を形成するボックス本体３の正面５ａの正面壁に設けられた取付穴３３に挿入され、挿入完了時に切り起し舌弁３５が前記取付孔３３に設けられた開口孔３３ａと係合し合うことで抜け出ることのない固定支持の状態が確保されている。
【００２９】
他端は、前記薄肉ヒンジ３１を支点として回動可能でその先端部には断面Ｖ字状に形成された拡縮可能な係合部３５を有している。係合部３５はボックス本体３の正面５ａの正面壁に設けられた係合穴３７に対して挿・脱可能となっている。即ち、係合部３５の係合爪部３５ａが挿入完了時に係合穴３７の係合段部３７ａと係合し合うことで抜け出ることのない挿入状態が確保される。一方、係合部３５を矢印のように操作して係合段部３７ａから係合爪部３５ａを後退させることで係合状態から解除状態が得られるようになっている。
【００３０】
この場合、ファイバ押え部材２９の内側とファイバ誘導口９にスポンジ等の弾性部材３９をそれぞれ設けるようにすることが望ましい。これにより、光ファイバ１３を一本の状態から束の状態まで優しく確実に挟みつけることができる。
【００３１】
一方、正面５ａに設けられた取手部７は、縦置きとして使用するボックス本体出し入れ用となっていて前記ファイバ誘導口９の上に位置する構造となっている。
【００３２】
また、上面５ａと底面５ｂに設けられたボックス本体支持部材１１は、図５に示すように光ファイバ配線架４１の棚部フランジ４３に係脱自在に引掛けた時に、ボックス本体３を水平な作業姿勢（実線）に仮支持するためのもので、断面下向きＵ字溝状の形状となっている。
【００３３】
上面５ｃに設けられたボックス本体支持部材１１は、ファイバ誘導口９を右側にもってくる作業配置とする時に使用される。また、底面５ｄに設けられたボックス本体支持部材１１は、ファイバ誘導口９を左側にもってくる作業配置をする時に使用されるようになっている。
【００３４】
このように構成されたファイバ保留ボックス１によれば、蓋部１９及びファイバ押え部材２９を一緒に開くことで例えば、図５に示すように束にした光ファイバ１３のファイバ端末部１５をファイバ誘導口９を介してファイバ端末収納部１７内へセットすることができる。続いて、ファイバ押え部材２９、蓋部１９の順に閉めることでファイバ誘導口９から光ファイバ１３が外へ延長された状態でファイバ端末部１５が収納される。
【００３５】
この時、ファイバ誘導口９から外へ延長される光ファイバ１３は、本数が少なくてもファイバ押え部材２９によって押さえるため、拘束された確実な保持状態が得られる。
【００３６】
一方、ファイバ保留ボックス１は多数の光ファイバ１３によって構成される光ケーブルが多数集まる光ファイバ配線架４１において、図７に示すように縦置きの状態で使用される。
【００３７】
光ファイバ配線架４１は、光ケーブルの各光ファイバ１３が、例えば、同一番号同志、あるいは、同一の色同志でそれぞれ接続されるケーブル配線部（図示していない）の外に、前記ファイバ保留ボックス１をセットする保留ボックス整列棚部４５を有する。保留ボックス整列棚部４５は、左側に上下２段に、右側に上下３段に目的別にそれぞれ配置され、その一部分の詳細図を図６に示す。
【００３８】
保留ボックス整列棚部４５は、ボックス本体３を縦置きの状態で並列に多数並べる上下一対の仕切部４７の外に、保留ボックス整列棚部４５と保留ボックス整列棚部４５の間となる中央部位へ誘導する半円弧状のガイド支柱４９と棚板部の端縁から立上がる棚部フランジ４３とを有する形状となっている。
【００３９】
したがって、光ファイバ配線架４１の保留ボックス整列棚部４５に、ボックス本体３の底面５ｄを設置面として縦置きに並列に並べることで、多数のファイバ保留ボックス１を整列させた状態でセットすることができる。
【００４０】
この結果、高密度実装用としての対応が可能となる。
【００４１】
また、ファイバ誘導口９は、下向きの形状となっているところから、ファイバ誘導口９から外へ延長された光ファイバ１３の束がファイバ誘導口９から外れた部位で重量の重みで不自然に折れ曲がる等の不具合がなくなる。
【００４２】
一方、取手部７を利用することで、保留ボックス整列棚部４５に並んでいる目的のファイバ保留ボックス１を容易に取り出すことができる。取り出した後、図５に示すようにボックス本体支持部材１１を棚部フランジ４３に係合させることでボックス本体３を水平な作業姿勢に仮支持することができるため、蓋部１９を開けることで目的のファイバ端末部となる線番等を比較的容易にみつけ出すことができる。
【図面の簡単な説明】
【００４３】
【図１】本発明にかかるファイバ保留ボックスの蓋部を開いた概要斜視図。
【図２】ファイバ保留ボックスの蓋部を閉じた概要斜視図。
【図３】図１のＡ−Ａ線断面図で見たファイバ押え部材の取付け状態を示した説明図。
【図４】光ファイバのファイバ端末部に光コネクタを設けた説明図。
【図５】ファイバ保留ボックスを棚部フランジに仮支持した作業姿勢の説明図。
【図６】保留ボックス整列棚部の一部分の説明図。
【図７】光ファイバ配線架の保留ボックス整列棚部を示した一部分の説明図。
【符号の説明】
【００４４】
３    ボックス本体
７    取手部
９    ファイバ誘導口
１１    ボックス本体支持部材
１３    光ファイバ
１５    ファイバ端末部
１６    光コネクタ
１７    ファイバ端末収納部
１９    蓋部
２９    ファイバ押え部材
４１    光ファイバ配線架
４３    棚部（棚部フランジ）
Ｘ    誘導口軸心線
【図１】
2007101832.tif 000003
【図２】
2007101832.tif 000004
【図３】
2007101832.tif 000005
【図４】
2007101832.tif 000006
【図５】
2007101832.tif 000007
【図６】
2007101832.tif 000008
【図７】
2007101832.tif 000009